(57)【特許請求の範囲】
【請求項１】
鉄粉を含有し空気と接触して発熱する発熱体を有する低温発熱部と、該発熱体を有し該低温発熱部の発する最高温度よりも高温の最高温度を発する高温発熱部とを具備し、前記高温発熱部の平面積が、前記低温発熱部の平面積よりも大きい加温具であり、該加温具の中心部に前記高温発熱部を有する加温具。
【請求項２】
鉄粉を含有し空気と接触して発熱する発熱体を有する低温発熱部と、該発熱体を有し該低温発熱部の発する最高温度よりも高温の最高温度を発する高温発熱部とを具備し、前記高温発熱部において発熱体を被覆する通気性シートの通気量が、前記低温発熱部において発熱体を被覆する通気性シートの通気量よりも大きい加温具であり、該加温具の中心部に前記高温発熱部を有する加温具。
【請求項３】
前記高温発熱部の平面積が、前記低温発熱部の平面積よりも大きい請求項２記載の加温具。
【請求項４】
前記低温発熱部と前記高温発熱部とが、前記発熱体を有しない連結部を介して連設されており、全体として扁平なシート状の形態を有する請求項１〜３の何れかに記載の加温具。
【発明の詳細な説明】
【０００１】
【発明の属する技術分野】
本発明は、長時間当てても使用者が高温を不快に感じにくく、腹部や腰部等を効果的に加温することのできる加温具に関する。
【０００２】
【従来の技術及び発明が解決しようとする課題】
加温具として、衣類や肌に固定し、腹部や腰部等の加温に用いる加温具が種々提案されている。
しかし、従来の加温具は、加温具を当接させた部分が全体的に同様に加温されるため、長時間当てていると使用者が熱すぎると感じて、使用の継続が困難になったり、不快感を生じる等の問題を有していた。
そのため、加温具の温度を全体的に低くすることが考えられるが、それでは温熱刺激による効果、例えば生理痛の緩和等の効果を期待することができない。
【０００３】
従って、本発明の目的は、優れた加温効果（温熱刺激による痛みの緩和効果等）を得ることができるにも拘わらず、使用者に高温による不快感を感じさせ難く、所望の部位を長時間快適に加温することのできる加温具を提供することにある。
【０００４】
【課題を解決するための手段】
本発明は、鉄粉を含有し空気と接触して発熱する発熱体を有する低温発熱部と、該発熱体を有し該低温発熱部の発する最高温度よりも高温の最高温度を発する高温発熱部とを具備し、前記高温発熱部の平面積が、前記低温発熱部の平面積よりも大きい加温具であり、該加温具の中心部に前記高温発熱部を有する加温具を提供することにより、上記の目的を達成したものである（以下、第１発明というときは、この発明をいう）。
また、本発明は、鉄粉を含有し空気と接触して発熱する発熱体を有する低温発熱部と、該発熱体を有し該低温発熱部の発する最高温度よりも高温の最高温度を発する高温発熱部とを具備し、前記高温発熱部において発熱体を被覆する通気性シートの通気量が、前記低温発熱部において発熱体を被覆する通気性シートの通気量よりも大きい加温具であり、該加温具の中心部に前記高温発熱部を有する加温具を提供することにより、上記の目的を達成したものである。（以下、第２発明というときは、この発明をいう）。
【０００５】
【発明の実施の形態】
以下、本発明の加温具の好ましい一実施形態について図面を参照しながら説明する。
図１及び図２に示す本実施形態の加温具１は、扁平なシート状の形態を有しており、発熱体を有する四つの低温発熱部２，２・と、発熱体を有し該低温発熱部２，２・の発する最高温度よりも高温の最高温度を発する高温発熱部３とを具備する。
【０００６】
ここで、「最高温度」とは、ＪＩＳ  Ｓ４１００-1996 に規定される使いすてかいろの試験（測定）方法に準拠し、温熱部表面３０℃の条件で測定して得られる値であり、低温発熱部の発する最高温度と高温発熱部の発する最高温度との高低は、低温発熱部と高温発熱部とを適宜の手段により分離して測定した最高温度を比較することにより判断できる。尚、本明細書において最高温度に関する好ましい範囲を示す場合における最高温度は、このＪＩＳ法により測定した最高温度である。
【０００７】
加温具の高温発熱部が発する最高温度を低温発熱部が発する最高温度よりも高くする方法としては、高温発熱部と低温発熱部とで、（１）平面積を異ならせる方法、（２）発熱体を被覆する通気性シートの通気量を異ならせる方法、（３）発熱体の種類ないし組成を異ならせる方法等があるが、第１発明は、上記（１）の方法を用いたものであり、第２発明は、上記（２）の方法を用いたものである。第１発明及び第２発明においては、上記（１）又は上記（２）の方法に他の方法を適宜に組み合わせても良い。
【０００８】
前記（１）の方法は、平面積が大きい程、最高温度が高くなることを利用したものであり、発熱体の坪量を変えずに、両者の最高温度を異ならせることができる等の利点がある。
【０００９】
本実施形態の加温具１においては、前記（１）の方法により最高温度を異ならせてある。具体的には、低温発熱部２それぞれは、平面視形状が一辺の長さＬ（図１参照）が４ｃｍの正方形状で平面積１６ｃｍ2 であるのに対し、高温発熱部３は、平面視形状が直角二等辺三角形状で平面積３２ｃｍ2 であり、平面積が大きい高温発熱部３の発する最高温度（４６℃）が、平面積の小さい低温発熱部の発する最高温度（４０℃）よりも高くなっている。尚、加温具１における低温発熱部２と高温発熱部３とでは発熱体の組成及び坪量が同じで、厚みも同じである。そのため、加温具１は、製造コストが低廉であり、保管、運搬、使用の際の取り扱い性に優れ、更に外観にも優れたものとなっている。
【００１０】
前記（２）の方法は、発熱体を被覆する通気性シートの通気量が大きい程、最高温度が高くなることを利用したものであり、高温発熱部の通気性シートの通気量を低温発熱部の通気性シートの通気量よりも大きくすることにより、高温発熱部の発する最高温度を低温発熱部の発する最高温度よりも大きくすることができる。
【００１１】
本発明における発熱体は、通常使い捨てカイロ等に用いる鉄粉を主成分とするもの等、鉄粉を含有し空気と接触して発熱するものを特に制限なく用い得るが、前記（２）の方法は、発熱体、より具体的には酸化反応により発熱する鉄粉等に対する空気の供給量を調節して最高温度を調節するものである。
そのため、通気性シートは、発熱体に対する空気の供給量を調節し得るシートであれば、その配設箇所や材質等に制限はなく、例えば、発熱体を一対の表面シートと裏面シートとの間に挟持固定する場合、両シートの何れか一方のみを通気性シートとし、この通気性シートの通気量を低温発熱部と高温発熱部とで異ならせても良いし、両シートを共に通気性シートとし、両シートの通気量を低温発熱部と高温発熱部とで異ならせても良い。また、通気性シートは、従来使い捨てカイロに用いられている各種材質のシートを用いることができ、積層シートであっても良い。
【００１２】
尚、通気性シートの通気量は、ＪＩＳ  Ｚ０２０８に規定される防湿包装材料の透湿度試験方法（カップ法）に準拠して測定することができる。
【００１３】
前記（３）の方法としては、発熱体の主成分となる鉄粉等の金属粉の種類を異ならせる方法、発熱体の成分、例えば鉄粉や保水剤、水、食塩等のいずれか一種又はこれらの二種以上の発熱体中における含有率を、低温発熱部と高温発熱部とで異ならせる方法がある。
【００１４】
本発明において、高温発熱部の発する最高温度は低温発熱部の発する最高温度よりも２℃以上、特に５〜１０℃高いことが好ましい。両者の温度差が２℃以上あると、低温発熱部及び高温発熱部の双方の特性を特に活かした効果的な加温が可能である。
【００１５】
また、低温発熱部の発する最高温度は３５〜５０℃、特に３８〜４２℃であることが好ましく、高温発熱部の発する最高温度は４０〜７０℃、特に４５〜５５℃であることが好ましい。
低温発熱部の発する最高温度が３５℃未満であると、低温発熱部による加温効果を通常の環境下では期待し難くなり、５０℃を超えると高温発熱部との間に上述したような温度差を確保することが困難となる。また、高温発熱部の発する最高温度が４０℃未満であると、低温発熱部との間に上述したような温度差を確保することが困難となり、７０℃を超えると、高温発熱部の面積にもよるが、高温による不快感を生じ易くなる。
【００１６】
本実施形態１の加温具１における低温発熱部２，２・・及び高温発熱部３は、それぞれ別個に発熱体５を有する。即ち、低温発熱部２，２・・及び高温発熱部３は、何れも裏面シート４と、裏面シート４上に載置された発熱体５と、発熱体５を覆い、発熱体５の周縁部において裏面シート４に接着された表面シート６とからなる。
そして、各低温発熱部２と高温発熱部３とは、裏面シート４及び表面シート６からなる屈曲可能な連結部７を介して連設されている。各低温発熱部２，２同士も同様に裏面シート４及び表面シート６からなる屈曲可能な連結部７’を介して連設されている。また、裏面シート４の裏面には粘着剤が塗布され、粘着部８が設けられている。
【００１７】
尚、裏面シート４及び表面シート６の形成材料としては、ポリエチレン、ポリプロピレン、ポリエチレンテレフタレート、ナイロン、あるいはこれらを２種以上組み合わせた複合繊維等からなる不織布と、発熱温度、発熱時間を調整するための調整シートからなる通気性の積層シート等が挙げられる。この積層シート等の通気性のシートの通気量は、発熱の持続時間や最高温度を調節する場合の調節の容易等の観点から、５０〜３００ｇ／ｍ2 ・２４ｈとするのが好ましい。
【００１８】
また、本発明における発熱体は、上述したように特に制限されないが、発熱体の重量に対して鉄粉を５０〜７０％、水を５〜３０％、食塩及び保水剤をそれぞれ１〜１０％含有するものが好ましく用いられる。また、粘着部８を形成する粘着剤としては、ゴム系粘着剤、アクリル系粘着剤、シリコーン系粘着剤等が挙げられる。
【００１９】
加温具１は、粘着部８を介して所望の部位に粘着固定して用いることができる。例えば、ショーツ等の下着やシャツ等の衣類に貼りつけ、通常の使い捨てカイロと同様に腹部、腰部、肩部等の加温に用いることができる。
【００２０】
加温具１は、発する最高温度が異なる低温発熱部２，２・と高温発熱部３とを具備しているため、長時間当てていても使用者が高温を不快に感じにくく、温めたい部位を効率良く温めることができる。即ち、高温発熱部により特に加温したい部分（つぼや痛みの中心点等）を集中的に加温できる共に、低温発熱部によりその周辺を穏やかに加温することができ、これにより、高温発熱部の高温により優れた加温効果（温熱刺激による痛みの緩和効果等）を得ながら、高温発熱部の高温による不快感を抑えることができる。本加温具１は、このような効果を奏し得るため、生理痛緩和用、腰痛緩和用、肩こり緩和用等に好ましく用いることができる。
また、加温具１における低温発熱部２と高温発熱部３とは、発熱体を有しない連結部により連設されているため、連結部において容易に屈曲させることができ、長時間の使用によっても不用意に剥がれたりし難く、安定した装着感が得られる。
【００２１】
また、加温具１においては、低温発熱部２，２・と高温発熱部３とで発熱体５の組成や坪量が同じであり、前記（１）の方法により低温発熱部２，２・が発する最高温度と高温発熱部３が発する最高温度を異ならせてあるため、製造が極めて容易であると共に、外観や、保管、運搬、使用の際の取り扱い性に優れたものとなっている。
更に、加温具１は、その中心部に高温発熱部３を有するため、高温発熱部３の高温による不快感を低温発熱部２，２・が特に効果的に抑制するようになっている。
【００２２】
加温具１は、公知の手法に準じて製造することができる。通常、加温具１は、粘着部８に公知の剥離紙を剥離自在に粘着され、発熱体５が発熱しないように包装袋等に密封されて販売等される。
【００２３】
図３に、本発明の加温具の他の実施形態を示した。図３に示す加温具１’は、低温発熱部２，２と高温発熱部３の配置及びそれぞれの平面積が上述した加温具１と異なるが、高温発熱部３が加温具１’の中心部にある点や、低温発熱部２，２及び高温発熱部３それぞれの積層構造等の基本的な構成は加温具１と同様である。そのため、加温具１と同様の構成部分には同一の符号を付し、その詳しい説明を省略する。従って、上記加温具１に関して上述した説明は、適宜本加温具１’に適用される。
【００２４】
尚、加温具自体の形状や、低温発熱部及び高温発熱部それぞれの平面形状は、上述の実施形態に制限されず、長方形、正方形、三角形、楕円等の種々の形状とすることが可能である。また、加温具１，１’における粘着部に代えて、機械的ファスナーのオス材（例えば、「マジックテープ」登録商標、クラレ社製）等を用いて形成した係合部を設けることもできる。
【００２５】
【発明の効果】
本発明の加温具は、優れた加温効果（温熱刺激による痛みの緩和効果等）を得ることができるにも拘わらず、使用者に高温による不快感を感じさせ難く、所望の部位を長時間快適に加温することのできるものである。
【図面の簡単な説明】
【図１】図１は、本発明の加温具の一実施形態を示す平面図である。
【図２】図２は、図１のＡ−Ａ断面図である。
【図３】図３は、本発明の加温具の他の実施形態を示す平面図である。
【符号の説明】
１，１’  加温具
２  低温発熱部
３  高温発熱部
４  裏面シート
５  発熱体
６  表面シート
７  連結部
８  粘着部
【図１】
0003957026.tif 000002
【図２】
0003957026.tif 000003
【図３】
0003957026.tif 000004